(57)【要約】 【課題】  構造が簡素にして且つスプロケット歯先が玉噛みを起こしたりすることがない玉研磨揚送装置を提供する。【解決手段】  玉研磨揚送装置を、研磨した玉を一球ずつ排出する玉研磨部１０と、該玉研磨部１０から送り込まれた研磨済みの玉を遊技機設置島上部に揚送するスプロケット式の玉揚送部２０とにより構成し、玉研磨部１０を、玉を搬送するスクリュー１と、スクリュー搬送される玉を研磨する研磨布６とを備えたものとし、玉揚送部２０を、周縁に複数の玉受け凹部２２を有するスプロケット２１を備えたものとして、スクリュー１とスプロケット２１とを同期して回転させる。【選択図】    図１
2005230438.tif 000002
【特許請求の範囲】
【請求項１】
研磨した玉を一球ずつ排出する玉研磨部から送り込まれた研磨済みの玉を、スプロケット式の玉揚送部に供給し、該玉揚送部により玉を遊技機設置島上部に揚送する玉研磨揚送装置において、前記玉研磨部は、玉を搬送する搬送部材と、搬送される玉を研磨する研磨布とを備え、前記玉揚送部は、周縁に複数の玉受け凹部を有し且つ前記搬送部材の作動に同期して回転するスプロケットを備えていることを特徴とする玉研磨揚送装置。
【請求項２】
スプロケットの上縁を搬送部材の玉排出口の下方に位置させて、研磨済みの玉をスプロケット上部の玉受け凹部に取り込むようにした請求項１に記載の玉研磨揚送装置。
【請求項３】
搬送部材への動力伝達手段とスプロケットへの動力伝達手段とを、単一の駆動源に接続した請求項１または２に記載の玉研磨揚送装置。
【発明の詳細な説明】
【技術分野】
【０００１】
本発明は、遊技機設置島の端部に配設される玉研磨揚送装置の改良に関するものである。
【背景技術】
【０００２】
遊技に使用されたパチンコ玉は機械油や手指脂などにより汚染されるので、通常は研磨装置により研磨して綺麗にされる。また、研磨済みの玉は玉揚送部により遊技機設置島上部に揚送されて島内を循環して繰り返し使用される。玉揚送部の一つとしてスプロケットにより玉を圧送するスプロケット式玉揚送部が知られている。この玉揚送部は、玉がスプロケットの玉受け凹部に連続して供給される場合には問題はないが、パチンコ玉が断続的に供給された場合には、垂直な揚送管内にある玉の全重量が玉連続部の最後の刃先に集中してしまうので、摩耗や破損が発生しやすいという問題があった。
【０００３】
このようなスプロケット式玉揚送部の欠点を改良するものとして、特許文献１には、玉研磨部からの玉をスプロケット式の玉揚送部に連続して供給できるようにした玉揚送機構が開示されている。この玉揚送機構は、玉研磨部と玉揚送部との間に補助貯留タンクを設置し、この補助貯留タンク内に玉保有量の上限検出手段と下限検出手段とを設け、更に上限検出手段の出力信号により玉揚送部を作動開始させ、下限検出手段の出力信号により玉揚送部を作動停止させる制御手段を設けたものである。
【０００４】
しかしながら、当該玉揚送機構は、上記のように各種の検出手段や制御手段を配して玉を連続的にスプロケットに送るようにしたものであるので、装置が大掛かりになり製造コストがかさむといった問題がある。また、玉が連続して供給される場合においても研磨装置からの玉の払出しとスプロケット玉受け凹部の玉取り込みのタイミングが合わず、スプロケット刃先が玉を噛み込んだりして折損しやすいという問題があった。
【特許文献１】特開２０００−２７９６２０号公報  (図１)
【発明の開示】
【発明が解決しようとする課題】
【０００５】
本発明は上記した従来の問題点を解決して、構造が簡素にして且つ玉噛みなどによりスプロケット歯先が折損したりすることがない玉研磨揚送装置を提供するためになされたものである。
【課題を解決するための手段】
【０００６】
上記の課題を解決するためになされた本発明の玉研磨揚送装置は、研磨した玉を一球ずつ排出する玉研磨部から送り込まれた研磨済みの玉を、スプロケット式の玉揚送部に供給し、該玉揚送部により玉を遊技機設置島上部に揚送する玉研磨揚送装置において、前記玉研磨部は、玉を搬送する搬送部材と、搬送される玉を研磨する研磨布とを備え、前記玉揚送部は、周縁に複数の玉受け凹部を有し且つ前記搬送部材の作動に同期して回転するスプロケットを備えていることを特徴とするものである。
【０００７】
なお、スプロケットの上縁を搬送部材の玉排出口の下方に位置させて、研磨済みの玉をスプロケット上部の玉受け凹部に取り込むことができ、また、搬送部材への動力伝達手段とスプロケットへの動力伝達手段とを、単一の駆動源に接続することができる。
【発明の効果】
【０００８】
本発明の玉研磨揚送装置は、玉研磨部における玉の搬送をスクリューにより行うとともに、玉揚送部における玉の揚送をスクリューと同期回転するスプロケットにより行うようにしたので、スクリューからの玉払出しとスプロケットの玉取り込みとのタイミングを確実に合わすことができて、玉噛みなどによりスプロケット刃先が折損したりすることがない。また、スプロケットの上縁をスクリューの玉排出口の下方に位置させたので、研磨されてスクリューから排出される玉をスプロケットの玉受け凹部に確実に取り込むことができて、スプロケット歯元部で玉の揚送抵抗を受け止めることができる。また、スクリューへ駆動力を伝えるギアなどの動力伝達手段とスプロケットへ駆動力を伝えるギアなどの動力伝達手段とを単一の駆動源に接続することによって、装置を簡素化してスクリューとスプロケットとを同期回転させることができる。
【発明を実施するための最良の形態】
【０００９】
以下に図面を参照しつつ本発明の好ましい実施形態を説明する。
図１〜４は、本発明の玉研磨揚送装置を示す図であって、１０は、水平状に配されたスクリュー１を備えた玉研磨部であり、２０は、スプロケット２１により玉を揚送する玉揚送部である。以下、玉研磨部と玉揚送部及びこれらを組み合わせた玉研磨揚送装置についてそれぞれ説明する。
【００１０】
<玉研磨部>
研磨部１０において、スクリュー１には、玉入り側端部１ａから玉出側端部１ｂにかけて螺旋溝３が形成されており、隣り合う螺旋溝３の間は螺旋状の山部３ａとなっている（図１）。スクリュー１の垂直下方には玉研磨部材２が配設されており、そのスクリュー１と対向する面には凹状の溝条部４が形成されている。溝条部４はスクリュー１の軸心１ｃと平行になるように配設されており、この溝条部４を覆うように研磨布６が敷設されている（図３）。なお、スクリュー１に代えて無端ベルトを搬送部材として用いることができる。
【００１１】
スクリュー１の玉入り側端部１ａには玉ガイド部材５が配設され、この玉ガイド部材５には、玉導入路１１が溝条部４とほぼ一線状に連通形成されていて、玉が一列に整列される。スクリュー１を回転させた時には、玉入り側端部１ａの螺旋状の山部３ａが玉列の間に割り込むので、玉を一球ずつ螺旋溝３内に取り込んで、玉を溝条部４内でスクリュー搬送することができる。
【００１２】
玉研磨部材２は弾性体７により上方に付勢されているので、玉を螺旋溝３と溝条部４との間に挟持して研磨布６を玉に押し付け研磨することができる。研磨された玉は溝条部先端の玉排出口４ｂから排出される。なお、玉が不存在時に溝条部４の玉入り側端部に段差が形成されることのないように、溝条部４の玉入り側端部の底面を湾曲状底面４ａとしてある。したがって、玉の研磨を再開した時に先頭玉が段差に詰まることなくスムーズに溝条部４内に移動することができる。
【００１３】
上記した玉研磨部１０内を搬送される玉は、スクリュー１の軸方向と螺旋溝３に沿う方向の、交差する２方向に回転するので、玉の全周面を研磨することができる。また、研磨布６はロール状に巻いたものを使用することができ、研磨布ロールを溝状部４の玉排出口４ｂから玉入口に敷き渡して間歇的に巻取り移動させながら研磨することによって、研磨布６の過度の汚染を回避して常に玉をきれいに研磨することができる。
【００１４】
<玉揚送部>
スプロケット２１はその周縁に複数の玉受け凹部２２が形成されているが、このスプロケット２１の上縁は図１に示すように、スクリュー１の玉排出口４ｂの下方に位置させてあるので、研磨済みの玉を上方からスプロケット２１上部に取り込むことができる。スプロケット２１上部に取り込まれた玉は玉受け凹部２２の底面に確実に接触するので、スクリュー１からの玉の払出しのタイミングが若干ずれた場合にも玉をしっかりと玉受け凹部２２に収容することができる。
【００１５】
玉受け凹部２２に取り込まれた玉は、ガイド部材２３によりガイドされつつスプロケット２１の外周を約1/4周して揚送パイプ２４内を揚送されるが、玉は玉受け凹部２２に収容されているので、玉の揚送抵抗をスプロケット歯元でしっかりと受け止めることができる。したがって、従来のように玉揚送抵抗がスプロケット刃先に集中することがないので、歯先の折損などによる搬送トラブルの発生を大幅に減少することができる。
【００１６】
<玉研磨揚送装置>
本発明の玉研磨揚送装置は、上記した玉研磨部１０と玉揚送部２０とが単一のモータＭに接続されたものである（図２、４）。この玉研磨揚送装置において、モータＭの駆動力はギア３１、３２、３３を介して回転軸３４に伝達される。スクリュー１はその先端のベベルギア３５を介して回転軸３４の一方の端に設けられたベベルギア３６に繋がっているので、スクリュー１はモータＭにより駆動される。また、回転軸３４にはギア３７が軸着され、このギア３７は、ギア３８を介して、スプロケット２１の回転軸２５に軸着されたギア３９と接続されている。したがって、モータＭを駆動することによってスクリュー１とスプロケット２１とを同時に回転させることができる。
【００１７】
そして、スクリュー１からの玉の払出しと、スプロケット２１の玉の受入れとのタイミングが合致するように、スクリュー１とスプロケット２１との回転を、減速比を調整することによって同期させてある。したがって、スクリュー１の玉排出口４ｂから排出される玉をスプロケット２１の玉受け凹部２２に同期するタイミングで供給することができる。
【００１８】
以上説明したように、本発明の玉研磨揚送装置は、玉研磨部と玉揚送部とを同期運転させるので、玉研磨部から排出された玉が玉揚送部のスプロケットに嵌合するタイミングで供給され、既記した従来の問題点を解決することができる。
【図面の簡単な説明】
【００１９】
【図１】本発明の玉研磨揚送装置の正面図である。
【図２】本発明の玉研磨揚送装置の平面図である。
【図３】図１のＡ−Ａ線断面図である。
【図４】スプロケットへの動力伝達手段の説明図である。
【符号の説明】
【００２０】
１  スクリュー
１ａ  スクリューの玉入り側端部
１ｂ  スクリューの玉出側端部
１ｃ  スクリューの軸心
２  玉研磨部材
３  螺旋溝
４  溝条部
４ａ  湾曲状底面
４ｂ  玉排出口
５  玉ガイド部材
６  研磨布
７  弾性体(コイルバネ)
１０  玉研磨部
１１  玉導入路
２０  玉揚送部
２１  スプロケット
２２  玉受け凹部
２３  ガイド部材
２４  揚送パイプ
２５  回転軸
３１、３２、３３、３４  ギア
３５、３６  ベベルギア
３７、３８  ギア
【図１】
2005230438.tif 000003
【図２】
2005230438.tif 000004
【図３】
2005230438.tif 000005
【図４】
2005230438.tif 000006